(57)【要約】【課題】通常の天井施工や壁面施工と特に変わりのない方法で施工することができ、低コストにて手軽に採光システムを導入することを可能にする採光用内装材及びそれを用いた採光方法を提供することを課題とする。【解決手段】表面に光反射・拡散性を持たせた薄手のメタルプレート３製の基板１を、内装材形状に成形して成る。基板１は、メタルプレート３に光反射・拡散性のある樹脂製化粧フィルム２を被装したものとされ、化粧フィルム２とメタルプレート３には、互いに連通するピンホール４、４ａが全面に亘って透設される。基板１は、スパンドレルＡ、システム天井用ユニットＢその他の内装材形状に成形され、一般の内装材との混在施工が可能である。【選択図】図１
2018012950.tif 000002
【特許請求の範囲】
【請求項１】
表面に光反射・拡散性を持たせた薄手のメタルプレート製の基板を、内装材形状に成形して成る採光用内装材。
【請求項２】
前記基板は、メタルプレートに光反射・拡散性のある樹脂製化粧フィルムを被装したものである、請求項１に記載の採光用内装材。
【請求項３】
前記化粧フィルムと前記メタルプレートには、互いに連通するピンホールが全面に亘って透設されている、請求項２に記載の採光用内装材。
【請求項４】
前記基板は、メタルプレートに光反射・拡散性塗料を塗布・印刷したものである、請求項１に記載の採光用内装材。
【請求項５】
前記メタルプレートには、ピンホールが全面に亘って透設されている、請求項４に記載の採光用内装材。
【請求項６】
裏面側に断熱・吸音材が配備されている、請求項３又は５に記載の採光用内装材。
【請求項７】
前記基板は、スパンドレル、システム天井用ユニット、ルーバー・リブその他の内装材形状に成形されている、請求項１乃至６のいずれかに記載の採光用内装材。
【請求項８】
請求項１乃至７のいずれかに記載の採光用内装材を、外光の当たる部分あるいは室内光源の周辺部に配設することを特徴とする採光方法。
【発明の詳細な説明】
【技術分野】
【０００１】
本発明は、採光用内装材及びそれを用いた採光方法に関するものであり、より詳細には、ビルや一般住宅において、室内の照明の補助として自然光を室内に導入するために用いる採光用内装材、並びに、それを天井材や壁面材等として用いて成る採光方法に関するものである。
【背景技術】
【０００２】
近時、日当たりのよくないビルや一般住宅において、室内の照明の補助として自然光を室内に導入するためのシステムが種々提案され、実際に採り入れられている。その多くは、窓等の開口部から入った自然光を、室内に配置した反射手段で反射させて、自然光の届きにくい箇所に行き亘らせようとするものである。
【０００３】
例えば、特許文献１（特開２００９−２６６７９４号公報）には、透明材料と反射面を、組立、あるいは一体成形により水平格子状に上下交互に配置したパネルを太陽光照明器として建物窓の太陽光が当たる部位に取り付け、屈折と反射の作用により、太陽光線を室内天井方向に導き、天井に反射させて照明に利用するシステムが開示されている。
【０００４】
しかし、これらのシステムの場合は、反射手段等を含め、天井を特別の仕様とするものであるため、設置に手間とコストがかかり、手軽に採用し得るものではない。また、天井に反射板を設置する場合は、その部分が周辺部位から遊離して目立ち、見た目が悪くなるおそれがある。
【先行技術文献】
【特許文献】
【０００５】
【特許文献１】特開２００９−２６６７９４号公報
【特許文献２】特開２００７−３０８９８９号公報
【特許文献３】特開２０００−３２００６１号公報
【発明の概要】
【発明が解決しようとする課題】
【０００６】
上述したように、従来の採光システムの場合は、反射手段等を含め、天井を特別の仕様とするものであるため、設置に手間とコストがかかり、また、見た目が悪くなるおそれがあった。そこで本発明は、通常の天井施工や壁面施工と特に変わりのない方法で施工することができ、低コストにて手軽に採光システムを導入することを可能にする採光用内装材及びそれを用いた採光方法を提供することを課題とする。
【課題を解決するための手段】
【０００７】
上記課題を解決するための請求項１に記載の発明は、表面に光反射・拡散性を持たせた薄手のメタルプレート製の基板を、内装材形状に成形して成る採光用内装材である。
【０００８】
一実施形態においては、前記基板は、メタルプレートに光反射・拡散性のある樹脂製化粧フィルムを被装したものとされる。前記化粧フィルムと前記メタルプレートに、互いに連通するピンホールが全面に亘って透設されることがあり、その場合、裏面側に断熱・吸音材が配備されることがある。
【０００９】
一実施形態においては、前記基板は、メタルプレートに光反射・拡散性塗料を塗布・印刷したものとされる。前記メタルプレートに、ピンホールが全面に亘って透設されることがあり、その場合、裏面側に断熱・吸音材が配備されることがある。
【００１０】
一実施形態においては、前記基板は、スパンドレル、システム天井用ユニット、ルーバー・リブその他の内装材形状に成形される。
【００１１】
上記課題を解決するための請求項８に記載の発明は、請求項１乃至７のいずれかに記載の採光用内装材を、外光の当たる部分あるいは室内光源の周辺部に配設することを特徴とする採光方法である。
【発明の効果】
【００１２】
本発明は上述したとおりであって、本発明に係る採光用内装材は、表面に光反射・拡散性を持たせた薄手のメタルプレート製基板を、スパンドレルやシステム天井用ユニット等の既製内装材形状に成形して成るものであるので、一般のスパンドレルやシステム天井用ユニット等の内装材とさして変わらない方法で製造することができ、低コストにて供給し得る効果がある。
【００１３】
また、本発明に係る採光方法によれば、単に、上記採光用内装材を外光の当たる部分あるいは室内光源の周辺部に配設するだけで、換言すれば、一般の内装材に混在させて、通常の天井施工や壁面施工の一環として施工するだけで、手軽に低コストにて採光システムを実現し得る効果がある。  
【図面の簡単な説明】
【００１４】
【図１】本発明に係る採光用内装材の一例（スパンドレル）を示す斜視図である。
【図２】図１に示す採光用内装材の要部拡大断面図である。
【図３】図１に示す採光用内装材の施工例を示す斜視図である。
【図４】本発明に係る採光用内装材の別例（システム天井用ユニット）を示す部分側面図である。
【図５】図４に示す採光用内装材の施工方法を示す斜視図である。
【発明を実施するための形態】
【００１５】
以下に、本発明を実施するための形態について、添付図面に依拠して説明する。本発明に係る採光用内装材は、表面に光反射・拡散性を持たせた薄手のメタルプレート３製の基板１を、スパンドレルＡやシステム天井用ユニットＢ等の天井材や壁面材等の既製内装材形状に成形して成るものである。
【００１６】
メタルプレート３の表面に光反射・拡散性を持たせる方法としては、メタルプレート３の表面全体に光反射・拡散性のある樹脂製化粧フィルム２を被装する方法、あるいは、メタルプレート３の表面全体に光反射・拡散性塗料を塗布・印刷する方法が考えられる。化粧フィルム２を被装する方法における場合の化粧フィルム２には、必要に応じて、任意の模様や色柄が薄く印刷される。また、そのような化粧フィルム２に、透明な光反射・拡散性フィルムを被装する方法も考えられる。
【００１７】
なお、以下の説明は、主に本発明に係る採光用内装材を天井材として形成する場合のものであるが、本内装材は天井材に限らず、壁面材として構成することも可能なものであり、天井や壁面の外光の当たる部分や室内光源の周辺部等に施工される。
【００１８】
図１は、採光用内装材をスパンドレルＡとして成形した場合の構成を示すもので、この場合の基板１は長尺に形成され、その長尺側２辺が立ち上げられて成る側壁５、６の上端に係止部７、８が形成される。例えば、一方の係止部７は差込板とされ、他方の係止部８は、差込板を受け入れる挟持部とされ、１つのスパンドレルＡの係止部７を他のスパンドレルＡの係止部８に係合させる方法で、横に連結していく。かくして、スパンドレルＡと、表面に光反射・拡散性を有しない一般の同形状のスパンドレルａとの混在使用が可能となる。
【００１９】
表層となる、換言すれば、人目に晒されることになる化粧フィルム２として光拡散・反射シートが用いられ、必要に応じて、木目模様その他種々多様の任意の模様や色柄表現等が薄く印刷される。あるいは、上述したように、薄く印刷を施した化粧フィルム２の上に、透明の光拡散・反射フィルムを被装することも考えられる。この化粧フィルム２が、アクリル樹脂系粘着剤等の粘着層を介してメタルプレート３に合着される。メタルプレート３としては、例えば、厚さ０．６ｍｍ前後、即ち、０．６±０．２ｍｍの薄手のアルミニウム合金板が用いられる。
【００２０】
この実施形態において、化粧フィルム２とメタルプレート３に、互いに連通し合うピンホール４、４ａがその全面に亘って透設されることもある。その場合、各ピンホール４、４ａは、化粧フィルム２とメタルプレート３の合着前にそれぞれに透設しておき、ピンホール４、４ａ同士を合わせて合着することとしてもよいが、合着後に化粧フィルム２からメタルプレート３にかけて穿孔する方法の方が、位置合わせの必要がないので、簡単且つ効率的である。
【００２１】
なお、ピンホール４、４ａは、目立たないサイズ、即ち、０．５〜１ｍｍ程度の微小孔であって、定間隔（例えば、４ｍｍ）置きに又はランダムに穿設される。孔径がこのレベルであると、天井面や壁面に配設された場合、その表面に施される模様や色柄表現等に関係なく、ほとんど視認することができないものとなる。
【００２２】
更にこの実施形態においては、メタルプレート３の裏面、即ち、側壁５、６間の空間部に断熱・吸音材９が充填されることがある。断熱・吸音材９は、側壁５、６間に密に収まるグラスウール（ロックウール）、発泡樹脂等の厚みが２５ｍｍ程度の長尺成型体で、側壁５、６の内側に接着固定される。
【００２３】
メタルプレート３の表面に光反射・拡散性を持たせる方法として、メタルプレート３に光反射・拡散性塗料を塗布・印刷する方法を採用する場合においても、メタルプレート３の全体にピンホール４ａが穿設され、更に、断熱・吸音材９が配備されることがある。
【００２４】
図３は、採光用内装材としてスパンドレルＡを用いて実施した採光方法による採光の様子を示すもので、本発明に従って製造されたスパンドレルＡを、少なくとも外光の当たる窓際等に配置し、外光の当たらない部分には、表面に光反射・拡散性を有しない一般の同形状のスパンドレルａを配置してある。かくして、窓等の開口部から入った外光は、スパンドレルＡに反射されて、室内の奥方向に導かれる。この場合、天井全体にスパンドレルＡを用いても差し支えない。なお、窓等の開口部から入る外光は、必ずスパンドレルＡに向かうという訳ではないので、必要に応じ、外光をスパンドレルＡに向かわせる屈折手段を配置する。
【００２５】
この場合、スパンドレルａとして、スパンドレルＡと同じ色合いのものを用いることにより、全体に一体感を持たせることができる。また、スパンドレルＡとスパンドレルａとして、ピンホール４、４ａを設けると共に、断熱・吸音材９を配置したものを用いる場合には、優れた断熱・吸音効果を発揮することになる。なお、新設の場合に限らず、既存のスパンドレル天井について、その一部を本発明に係るスパンドルＡに変える方法で、本発明に係る採光システムを採り入れることが可能である。
【００２６】
図４、５は、本発明に係る採光用内装材を、システム天井用のユニットＢに成形した場合を示す。この場合の基板１は四角形で、その四辺を立ち上げて周壁１０が形成される。また、周壁１０の上端を折曲してフランジ状係止部１０ａを形成することもある。このシステム天井用ユニットＢは、格子に組まれたスチール製Ｔバー１１上に、上方から落とし込む方法で設置される。係止部１０ａを設ける場合は、係止部１０ａをスチール製Ｔバー１１の水平部に載せるようにすることができる。
【００２７】
このシステム天井用ユニットＢの成形に用いる基板１は、上記のものと同様にして表面に光反射・拡散性を持たせたものであり、また、断熱・吸音材９を備えたものである。そして、少なくとも天井の外光の当たる部分や室内光源近くに配置すること等は、スパンドレルＡの場合と同じである。
【００２８】
本発明に係る採光用内装材に穿設されるピンホール４、４ａは、孔径が０．５〜１ｍｍであって、天井や壁面に配置された場合には視認不可状態となるので、ピンホール４、４ａの存在によって見た目が損なわれることはなく、また、室内の騒音、雑音は無数のピンホール４、４ａから吸収され、その上の断熱・吸音材９に取り込まれて消音されるので、本発明に係る採光用内装材は、外光を取り入れることのみならず、公共施設、学校、病院、図書館、会社の会議室その他、消音が必要な室内の内装材として好適であり、更に、その構成素材からして不燃性を具備し得る非常に有益なものである。
【符号の説明】
【００２９】
１         基板
２         化粧フィルム
３         メタルプレート    
４、４ａ    ピンホール
５、６     側壁
７、８     係止部
９         断熱・吸音材
１０       周壁
１０ａ     係止部
１１       スチール製Ｔバー
Ａ         スパンドレル
Ｂ         システム天井用ユニット
【図１】
2018012950.tif 000003
【図２】
2018012950.tif 000004
【図３】
2018012950.tif 000005
【図４】
2018012950.tif 000006
【図５】
2018012950.tif 000007
【手続補正書】
【提出日】平成29年11月17日(2017.11.17)
【手続補正１】
【補正対象書類名】特許請求の範囲
【補正対象項目名】全文
【補正方法】変更
【補正の内容】
【特許請求の範囲】
【請求項１】
表面に光反射・拡散性塗料を塗布・印刷して光反射・拡散性を持たせ、全面に亘ってピンホールを透設した薄手のメタルプレート製の基板を、スパンドレル、システム天井用ユニット、ルーバー・リブその他の内装材形状に成形して成る採光用内装材。
【請求項２】
裏面側に断熱・吸音材が配備されている、請求項１に記載の採光用内装材。
【請求項３】
表面に光反射・拡散性のある樹脂製化粧フィルムを被装した薄手のメタルプレート製の基板を、スパンドレル、システム天井用ユニット、ルーバー・リブその他の内装材形状に成形して成り、前記化粧フィルムと前記メタルプレートには、互いに連通するピンホールが全面に亘って透設されていることを特徴とする採光用内装材。
【請求項４】
前記基板の裏面側に断熱・吸音材が配備されている、請求項３に記載の採光用内装材。
【請求項５】
請求項１乃至４のいずれかに記載の採光用内装材を、外光の当たる部分あるいは室内光源の周辺部に配設することを特徴とする採光方法。
【手続補正２】
【補正対象書類名】明細書
【補正対象項目名】０００７
【補正方法】変更
【補正の内容】
【０００７】
上記課題を解決するための請求項１に記載の発明は、表面に光反射・拡散性塗料を塗布・印刷して光反射・拡散性を持たせ、全面に亘ってピンホールを透設した薄手のメタルプレート製の基板を、スパンドレル、システム天井用ユニット、ルーバー・リブその他の内装材形状に成形して成る採光用内装材である。
【手続補正３】
【補正対象書類名】明細書
【補正対象項目名】０００８
【補正方法】変更
【補正の内容】
【０００８】
一実施形態においては、前記基板の裏面側に断熱・吸音材が配備されることがある。
【手続補正４】
【補正対象書類名】明細書
【補正対象項目名】０００９
【補正方法】変更
【補正の内容】
【０００９】
上記課題を解決するための請求項３に記載の発明は、表面に光反射・拡散性のある樹脂製化粧フィルムを被装した薄手のメタルプレート製の基板を、スパンドレル、システム天井用ユニット、ルーバー・リブその他の内装材形状に成形して成り、前記化粧フィルムと前記メタルプレートには、互いに連通するピンホールが全面に亘って透設されていることを特徴とする採光用内装材である。
【手続補正５】
【補正対象書類名】明細書
【補正対象項目名】００１０
【補正方法】変更
【補正の内容】
【００１０】
一実施形態においては、前記基板の裏面側に断熱・吸音材が配備されることがある。
【手続補正６】
【補正対象書類名】明細書
【補正対象項目名】００１１
【補正方法】変更
【補正の内容】
【００１１】
上記課題を解決するための請求項５に記載の発明は、請求項１乃至４のいずれかに記載の採光用内装材を、外光の当たる部分あるいは室内光源の周辺部に配設することを特徴とする採光方法である。